(57)【特許請求の範囲】
【請求項１】
競泳プールの壁面の側面部から上淵面部の一部を覆うベースプレートと、前記ベースプレート上に複数列に配設されたパネルホルダーと、前記パネルホルダーに係合保持される複数枚の板状に分割されたフロントパネルと、前記フロントパネルと前記ベースプレートの間に配設されるスイッチ部と、前記ベースプレートの競泳プールの壁面の上淵面部の一部を覆う部分に固定保持されたトッププレートと、前記トッププレートと前記ベースプレートとの間隙に、滑動自在に挟装され前記フロントパネルと協動可能に係合したトップエッジとを有することを特徴とする競泳用タッチ検出装置。
【請求項２】
前記トップエッジをフロントパネルの上端部を曲げて構成したことを特徴とする請求項１記載の競泳用タッチ検出装置。
【請求項３】
前記トップエッジが前記フロントパネル上端部を挟持して前記フロントパネルと係合したことを特徴とする請求項１記載の競泳用タッチ検出装置。
【請求項４】
前記トップエッジと前記フロントパネルとは、温度変化に基づく伸縮を吸収する間隙を設けて係合したことを特徴とする請求項１又は３記載の競泳用タッチ検出装置。
【請求項５】
前記トップエッジが複数列に分割されていることを特徴とする請求項１、３又は４記載の競泳用タッチ検出装置。
【請求項６】
前記トップエッジと前記フロントパネルとの分割された各列間の幅がほぼ同寸法であることを特徴とする請求項５記載の競泳用タッチ検出装置。
【請求項７】
前記トップエッジと前記フロントパネルとの分割線の位置を相互に異ならせて配設したことを特徴とする請求項５又は６記載の競泳用タッチ検出装置。
【請求項８】
前記パネルホルダーが前記ベースプレートの抜き曲げで構成されていることを特徴とする請求項１乃至７のいずれかに記載の競泳用タッチ検出装置。
【請求項９】
前記フロントパネルは、前記スイッチ部と接触する複数の突起部を有し、この突起部の連なる幅が前記分割されたフロントパネル各列の中央部と淵付近の部分とで異なることを特徴とする請求項１乃至８の記載の競泳用タッチ検出装置。
【請求項１０】
前記フロントパネルと前記パネルホルダーとは、前記フロントパネルの上下移動により係着可能としたことを特徴とする請求項１乃至９のいずれかに記載の競泳用タッチ検出装置。
【発明の詳細な説明】
【０００１】
【発明の属する技術分野】
この発明は、水泳競技において用いる競泳用タッチ検出装置に関する。
【０００２】
【従来の技術】
従来より、水泳競技において、競泳時の計測には競泳者が競泳プールの壁面にタッチした瞬間を感知する競泳用タッチ板が用いられてきた。
【０００３】
タッチ板は、主に競泳プールの壁面に固定される裏板と、裏板上に配設される検出用のテープスイッチと、テープスイッチを覆う表板と、表板を前後動自在に保持する枠体を有するものから成っており、前記表板には多数の流水孔が設けられていた（特公昭５７−４１７６号公報）。
【０００４】
競泳時には、競泳者が競泳プール壁面に設置された前記タッチ板の表板にタッチすると、前記表板が競泳プールの壁面方向に押されて前記表板の下のテープスイッチに接触し、タッチの瞬間を感知していた。
【０００５】
また、従来のタッチ板には表板の上面から競泳プール壁面の上淵面部にかけて上部感度パネルを設け、前記上部感度パネルと前記表板とを固着した型のタッチ板もあり、この型のタッチ板では、競泳者が競泳プールの上淵面部を斜めの角度からタッチした場合でも上部感度パネルによってテープスイッチを押し、感知することができた（特開平５−２３７２１０号公報、特開平６−３１０２３号公報）。
【０００６】
また、本願出願人は、係合突条を一方の面に設けた同形の複数枚の板を、突条部を互いに向き合わせて組み合わせ表面と裏面を形成し、一枚のパネルとして、その間にテープスイッチを配設したものを開発した（実公平５−３６４４９号公報）。この型のタッチ板では、前記パネルの水抵抗が上述の一枚板のものより小さく、感度が良かった。
【０００７】
【発明が解決しようとする課題】
従来の大きな一枚板から構成されるタッチ板は、タッチが弱い場合には水の抵抗と板の撓みによる抵抗により一枚板の動きが抑制され感度が悪く、また、タッチの位置角度によっては表板の窪み量が異なりテープスイッチの感知にむらが生じるという問題点があった。
【０００８】
また、大きな一枚の板状であるため、温度変化による歪みが生じやすく、表板が前方向に膨らむように変形するという問題点もあった。
【０００９】
特に、従来の表板の上下左右が枠体等で固着されているタッチ板にあっては、表板に歪みが生じて反り返ることが頻繁に生じた。
【００１０】
また、上部感度パネルを設けたものににあっては、上部感度パネルも、大きな一枚板の表板と同じ幅で表板に取付けられているため、感度が悪いという問題があった。
【００１１】
また、本願出願人が以前に開発した上述のタッチ板においては、完全な一枚板で構成されるものと比べて感度を良くすることができたが、表面と裏面が同構造のため剛性に問題があり、競泳者のタッチによって全体が一枚板のように動作してしまい、感度にむらが生じたり、前述のタッチ板と同様に温度変化によって歪みが生じやすいという問題点があった。
【００１２】
そこで、本発明は上記のような種々の問題点を解決し、感度が良くかつ均一な競泳用タッチ検出装置を提供することを目的としている。
【００１３】
【課題を解決するための手段】
上述の目的を達成するために本発明である競泳用タッチ検出装置は、競泳プールの壁面の一部に着接されるベースプレートと、前記ベースプレート上に複数列に配設されたパネルホルダーと、前記パネルホルダーに係合保持される複数枚の板状に分割されたフロントパネルと、前記フロントパネルと前記ベースプレートの間に配設されるスイッチ部とを有する競泳用タッチ検出装置とする。
【００１４】
また、競泳プールの壁面の側面部から上淵面部の一部を覆うベースプレートと、前記ベースプレート上に複数列に配設されたパネルホルダーと、前記パネルホルダーに係合保持される複数枚の板状に分割されたフロントパネルと、前記フロントパネルと前記ベースプレートの間に配設されるスイッチ部と、前記ベースプレートの競泳プールの壁面の上淵面部の一部を覆う部分に固定保持されたトッププレートと、前記トッププレートと前記ベースプレートとの間隙に、滑動自在に挟装され前記フロントパネルと協動可能に係合したトップエッジとを有する競泳用タッチ検出装置とすることもできる。これらによれば、フロントパネルが分割されているため、各分割された部分の水による抵抗と板の撓みによる抵抗を小さくでき、従来より感度を良くすることができるとともに、感度をより均一に、また、フロントパネルの反りを少なくすることができる。
【００１５】
また、前記トップエッジをフロントパネルの上端部を曲げて構成すれば構造を単純にして部品数を減ずることができる。
【００１６】
また、前記トップエッジが前記フロントパネル上端部を挟持して前記フロントパネルと係合させる構成として製造組立を容易とできる。
【００１７】
さらに、前記トップエッジと前記フロントパネルとを、温度変化に基づく伸縮を吸収する間隙を設けて係合させることとすれば、フロントパネルの歪みによる変形をさらに防止することができる。
【００１８】
さらに、前記トップエッジをも複数列に分割することにより、前記トップエッジを軽く動けるようにしてトップエッジ部分の感度を上げることができる。
【００１９】
また、前記トップエッジと前記フロントパネルとの分割された各列間の幅をほぼ同寸法とすれば、さらにトップエッジを軽く動けるようにして感度を上げることができる。
【００２０】
さらに、前記トップエッジと前記フロントパネルとの分割線の位置を相互に異ならせて配設することで、競泳者がトップエッジにタッチした場合に隣接するトップエッジとの間の段差を少なくでき、トップエッジのかど等でけがをする心配をなくすことができる。
【００２１】
また、前記パネルホルダーを前記ベースプレートの抜き曲げで構成すれば、より部品点数を減じて製造容易とできる。
【００２２】
また、前記フロントパネルに、前記スイッチ部と接触する複数の突起部を設け、この突起部の連なる幅が前記分割されたフロントパネル各列の中央部と淵付近の部分とで異らせて作製すれば、フロントパネルの感度を均一にすることができる。
【００２３】
また、前記フロントパネルと前記パネルホルダーとを、前記フロントパネルの上下移動により係着可能とすれば、分解、組立を容易にすることができる。
【００２４】
【発明の実施の形態】
以下に本発明の実施の形態及び実施例を図面に基づいて説明する。
【００２５】
図１は本発明の一実施例としての競泳用タッチ検出装置を競泳プールに設置した状態の概念図であって（ａ）は正面図、（ｂ）は側面図を示す。
【００２６】
競泳用タッチ検出装置１は、競泳プールの壁面１３の側面部から上淵面部の一部を覆うように設定されるベースプレート１５と、このベースプレートに取付けられるトッププレート７、分割されたフロントパネル３、分割されたトップエッジ５、フレーム９等からなっている。
【００２７】
競泳用タッチ検出装置１は、およそ１×２．５メートルの板状であり、その両端部と競泳プールの壁面１３とを専用の取付け金具１１によって固定して設置される。
【００２８】
図２は本発明の同実施例の競泳用タッチ検出装置１の部分図であって（ａ）は正面図及び（ｂ）はフロントパネルの係合構造を示す部分横断面図を示す。
【００２９】
図２において、ベースプレート１５の片面は競泳プール壁面に着接され、他の片面には多数のパネルホルダー１７が複数列状に配設、ここではネジ２１により固定されており、前記パネルホルダーの鉤状部１７ａに複数列に分割されたフロントパネル両側端の鉤状部３ａを係合してフロントパネルを保持する。そして、配設された前記パネルホルダーの間と、前記フロントパネルの裏面に予め設けられた両側端切欠部３ｂ（後述の図３）を通してスイッチ部、ここではテープスイッチ１８からなる、を挿入配置する。
【００３０】
図３は本発明の同実施例の競泳用タッチ検出装置１のトップエッジ５及びトッププレート７を取り除いた部分斜視図で、その一部断面部には、フロントパネル３とパネルホルダー１７の係合状態を示す。
【００３１】
図３に示すように、フロントパネル３はベースプレート１５上のパネルホルダーの鉤状部１７ａとフロントパネルの鉤状部３ａを互いに引掛けて係合保持されており、フロントパネル３の上下移動で係着することができる。従って、競泳用タッチ検出装置１を組み立てる際には、プール壁面の側面部に添うようにフロントパネル３をプール底に向かってスライドさせて係着し、その後テープスイッチ１８をフロントパネルの両側端切欠部３ｂを通して挿入し、固定する。このように、前記フロントパネルは上下移動によって簡単に係着ができるため、取付け及び取外しが容易であり、部品の交換、点検作業も簡単に行うことができる。
【００３２】
図４に本発明の同実施例の競泳用タッチ検出装置１の部分斜視図を示し、また、図５に本発明の他の実施例の競泳用タッチ検出装置１の部分斜視図を示して、これらに基づいて競泳用タッチ検出装置１の上部付近の構造について説明する。
【００３３】
図４及び図５に示すトップエッジ５は、いずれもフロントパネル３の各列間の幅と同寸法の長さに分割されたものであるが、図４ではトップエッジ５とフロントパネル３との分割線の位置を異ならせており、図５では分割線の位置を揃えている。
【００３４】
ベースプレートの競泳プールの上淵面部に着接する部分にはトッププレート７が間挿板８を介してネジ止め等で固定保持される。トップエッジ５は前記フロントパネルと協動可能に係合され、前記トッププレートとベースプレート１５の間隙にトップエッジ５が滑動自在に挟装される。
【００３５】
ここで、トップエッジ５は、フロントパネル３の上端部を挟持する挟持部２６を設けてフロントパネル３と協動可能とされている。この挟持部２６とフロントパネル３の上端部とは間隙２５を残して挟持しており、例えば温度変化の影響で前記フロントパネルが伸縮した場合でもこの間隙２５によってフロントパネルの伸縮を吸収できるため、フロントパネル３の歪みを防止できる。
【００３６】
また、図６は分割された一枚のフロントパネルの横断面図を示しており、フロントパネルの前記ベースプレート側の面にはテープスイッチ１８と接触する複数の突起部２３が設けられている。ここでは前記突起部は連なる幅を意図的に異ならせ、前記フロントパネルの中央部の連なりを短く、両端部の連なりを長く作製して、フロントパネルが押されたときに、感度の高い両端部と、両端部より感度の低い中央部との格差をなくし、フロントパネル３の感度を均一に保つことができるようにしている。
【００３７】
競泳時には、競泳者がフロントパネル３にタッチすると、前記フロントパネルがベースプレート１５側に押され、前記フロントパネルの突起部２３がテープスイッチ１８に接触し、タッチの瞬間を感知することができる。
【００３８】
また、競泳時に、例えば競泳者が背泳等でトップエッジ５にタッチすると、前記トップエッジが前記トッププレート下部にスライドすると同時に、挟持されたフロントパネル３がベースプレート１５側に押されて前記フロントパネル内のテープスイッチ１８がこれを感知する。
【００３９】
ここで、ベースプレート１５は競泳用タッチ検出装置の全体の基板となる一枚の板状のものであり、例えばアルミ製とすることができ、軽量かつ錆びにくい材質であることが望ましい。また、ベースプレート１５に配設されるパネルホルダー１７もアルミ等で作製し、前記ベースプレートとネジ２１で固定することができるが、ベースプレート１５から曲げて立ち上げ、ベースプレート１５と一体に、即ち抜き曲げにより作製することも可能である。
【００４０】
さらに、フロントパネル３においては、複数列に分割された板を、プラスチック等で作製することができ、例えば硬質塩化ビニールで作製できる、１１９×９４６ミリの板を２０枚連ねて構成することができる。
【００４１】
上述のように構成した競泳用タッチ検出装置１では、フロントパネル３が分割されているため、従来の一枚板のものと比べて水の抵抗を小さくするとともに板の撓みによる抵抗を小さくして感度を高くでき、また、ベースプレート１５は一枚板でプール壁面に着接されており、フロントパネル３は前記パネルホルダーによってベースプレート１５に係合保持されている構造のため、温度変化等によるフロントパネルの歪みを防ぐことができる。
【００４２】
また、トップエッジ５はフロントパネル３の各列間の幅と同寸法で作製すればフロントパネル３と同様に感度を高めることができる。
【００４３】
さらに、前記トップエッジと前記フロントパネルとの分割線の位置を相互に異ならせて配設すれば、競泳者がトップエッジにタッチした場合に、分割線を揃えて配設した場合よりもトップエッジ同士の段差が生じにくく、トップエッジのかど等でけがをする心配をなくすことができる。
【００４４】
また、前記トップエッジはフロントパネルの上部を曲げて構成することも可能である。
【００４５】
上記の実施例に示した競泳用タッチ検出装置を、プールサイドに取付け設置するには、センサー付タッチ検出装置１をプールの壁面１３に載置し、前記センサー付タッチ検出装置のフレーム９と取付け金具１１を固定した後、前記取付け金具とプールの淵面１３とを固定して、センサー付タッチ検出装置をする。
【００４６】
【発明の効果】
本発明によれば、一枚のベースプレートに、分割してフロントパネルを係着し、その間にスイッチを配設する構成のため、フロントパネルの動作を迅速で軽いものとできて、感度を上げることができると共に、感知がより均一でフロントパネルの反りを少なくすることができるものである。
【図面の簡単な説明】
【図１】本発明の競泳用タッチ検出装置を競泳プールに設置した状態の概念図であって、（ａ）は正面図、（ｂ）は部分側面図を示す。
【図２】本発明の競泳用タッチ検出装置部分図であって（ａ）は部分正面図及び（ｂ）はＡＡ線部分横断面図（ｂ）を示す。
【図３】本発明の競泳用タッチ検出装置のトップエッジ５及びトッププレート７を取り除いた部分斜視図を示す。
【図４】本発明の競泳用タッチ検出装置を上方から眺めた部分斜視図を示す。
【図５】本発明の競泳用タッチ検出装置を上方から眺めた部分斜視図を示す。
【図６】本発明の競泳用タッチ検出装置のフロントパネルの横断面図を示す。
【符号の説明】
１  競泳用タッチ検出装置、３  フロントパネル、３ａ  鉤状部、３ｂ  両側端切欠部、５  トップエッジ、７  トッププレート、８  間挿板、９  フレーム、１１  取付け金具、１３  競泳プールの淵、１５  ベースプレート、１７  パネルホルダー、１７ａ  鉤状部、１８  スイッチ部（テープスイッチ）、２１  ネジ止め、２３  突起部、２５  間隙、２６  挟持部、２７  両端部。
【図１】
0003773067.tif 000002
【図２】
0003773067.tif 000003
【図３】
0003773067.tif 000004
【図４】
0003773067.tif 000005
【図５】
0003773067.tif 000006
【図６】
0003773067.tif 000007